Podtech/llm-jp-corpus-v4-ja_patent huggingface dataset:
【手続補正書】
【提出日】平成25年11月21日(2013.11.21)
【手続補正１】
【補正対象書類名】特許請求の範囲
【補正対象項目名】全文
【補正方法】変更
【補正の内容】
【特許請求の範囲】
【請求項１】
画像処理方法であって、
グループ分けされるべき複数の画像を受信し、
前記複数の画像を複数のグループに分割し、同じグループ内の画像は同じ主要色を共有し、前記複数の画像を複数のグループに分割することは、
画像の色空間を選択し、
前記色空間を複数の色に数値化し、
前記画像内の各色に対応するピクセルの数を算出し、
最大のピクセルの数に対応する色を前記画像内の前記主要色として特定することを備え、
所定の画像を受信し、
前記所定の画像の主要色と同じ主要色を有する結果グループを、前記複数のグループから検索し、
前記所定の画像と前記結果グループ内の画像との複数の画像特徴を抽出し、
前記所定の画像の前記画像特徴を、前記結果グループ内の画像の前記画像特徴と比較し、
既定の準複製画像判定条件を満たす準複製画像を前記結果グループから特定し、
前記所定の画像と前記結果グループの画像の主要色の割合を決定し、前記主要色の割合の決定は、
画像の複数の色に対応するピクセルの数を算出し、
前記画像において最大のピクセルの数を有する色を見つけ出し、
前記画像内のピクセルの総数を前記画像の前記最大のピクセルの数との比を算出することを備え、
前記準複製画像判定条件は、
前記所定の画像の色特徴ベクトル（ＣＦＶ）と、あるグループの画像のＣＦＶとの間の距離が、第１の既定の閾値よりも小さく、前記所定の画像のＭＣＲと、あるグループの画像のＭＣＲが共に、第２の既定の閾値よりも小さく、前記所定の画像のＭＣＲと、あるグループの画像のＭＣＲとの差が、第３の既定の閾値よりも小さく
前記第２の既定の閾値は前記第３の既定の閾値よりも大きい、
方法。
【請求項２】
請求項１に記載の方法であって、前記複数の画像および前記複数のグループは、画像データベースに格納される、方法。
【請求項３】
請求項１に記載の方法であって、前記所定の画像は、ネットワークを介してユーザによって送信された画像である、方法。
【請求項４】
請求項１に記載の方法であって、さらに、前記準複製画像をユーザに戻すことを備える、方法。
【請求項５】
準複製画像検索システムであって、
インターフェースに接続された１または複数のプロセッサであって、
グループ分けされるべき複数の画像を受信し、
前記複数の画像を複数のグループに分割し、同じグループ内の画像は同じ主要色を共有し、前記複数の画像を複数のグループに分割することは、
画像の色空間を選択し、
前記色空間を複数の色に数値化し、
前記画像内の各色に対応するピクセルの数を算出し、
最大のピクセルの数に対応する色を前記画像内の前記主要色として特定することを備え、
所定の画像を受信し、
前記所定の画像の主要色と同じ主要色を有する結果グループを、前記複数のグループから検索し、
前記所定の画像と前記結果グループ内の画像との複数の画像特徴を抽出し、
前記所定の画像の前記画像特徴を、前記結果グループ内の画像の前記画像特徴と比較し、
既定の準複製画像判定条件を満たす準複製画像を前記結果グループから特定し、
前記所定の画像と前記結果グループの画像の主要色の割合を決定することであって、
画像の複数の色に対応するピクセルの数を算出し、
前記画像において最大のピクセルの数を有する色を見つけ出し、
前記画像内のピクセルの総数を前記画像の前記最大のピクセルの数との比を算出するよう構成されている１または複数のプロセッサと、
前記準複製画像判定条件は、
前記所定の画像のＣＦＶと、あるグループの画像のＣＦＶとの間の距離が、第１の既定の閾値よりも小さく、前記所定の画像のＭＣＲと、あるグループの画像のＭＣＲが共に、第２の既定の閾値よりも小さく、前記所定の画像のＭＣＲと、あるグループの画像のＭＣＲとの差が、第３の既定の閾値よりも小さく、
前記第２の既定の閾値は前記第３の既定の閾値よりも大きい、
前記１または複数のプロセッサに接続され、前記１または複数のプロセッサに命令を提供するよう構成されている１または複数のメモリと、
を備える、システム。
【請求項６】
請求項１に記載の方法において、前記所定画像のＣＦＶは、前記所定画像の予め定められたセットの色の各々に対応するピクセルの数の算出に基づいて判定される、方法。
【請求項７】
請求項１に記載の方法において、前記第２および第３の閾値は０〜１の間の値である、方法。
【手続補正２】
【補正対象書類名】図面
【補正対象項目名】図１
【補正方法】変更
【補正の内容】
【図１】
2012530319.tif 000001
【手続補正３】
【補正対象書類名】図面
【補正対象項目名】図２
【補正方法】変更
【補正の内容】
【図２】
2012530319.tif 000002
【手続補正４】
【補正対象書類名】図面
【補正対象項目名】図４
【補正方法】変更
【補正の内容】
【図４】
2012530319.tif 000003
【手続補正５】
【補正対象書類名】図面
【補正対象項目名】図６
【補正方法】変更
【補正の内容】
【図６】
2012530319.tif 000004
【手続補正６】
【補正対象書類名】図面
【補正対象項目名】図７
【補正方法】変更
【補正の内容】
【図７】
2012530319.tif 000005
【手続補正７】
【補正対象書類名】図面
【補正対象項目名】図８
【補正方法】変更
【補正の内容】
【図８】
2012530319.tif 000006
【手続補正書】
【提出日】平成25年12月20日(2013.12.20)
【手続補正１】
【補正対象書類名】特許請求の範囲
【補正対象項目名】全文
【補正方法】変更
【補正の内容】
【特許請求の範囲】
【請求項１】
下記式によって表される二置換アミノジフルオロスルフィニウムテトラフルオロボラート塩の単離された固体。
【化１】
2012530075.tif 000001
［式中、Ｒ1及びＲ2はともにエチル基である、又はＲ１及びＲ２は、それらが結合されている窒素原子とともに下記式のいずれかの構造を形成する。
【化２】
2012530075.tif 000002
ただし、ジエチルアミノジフルオロスルフィニウムテトラフルオロボラート（針状；融点７４−７６℃）、
ピペリジノジフルオロスルフィニウムテトラフルオロボラート（針状；融点９２−９４℃）および
モルホリノジフルオロスルフィニウムテトラフルオロボラート（角柱状；融点１０４−１０６℃）を除く。］
【請求項２】
前記単離された固体が、ジエチルアミノジフルオロスルフィニウムテトラフルオロボラートＩＩ型形態、
ジエチルアミノジフルオロスルフィニウムテトラフルオロボラートＩＩＩ型形態、
ジエチルアミノジフルオロスルフィニウムテトラフルオロボラートＩＶ型形態、
ジエチルアミノジフルオロスルフィニウムテトラフルオロボラートＶ型形態、
ジエチルアミノジフルオロスルフィニウムテトラフルオロボラートＶＩ型形態及び
モルホリノジフルオロスルフィニウムテトラフルオロボラートＩＩ型形態から選択される
、請求項１に記載の単離された固体。
【請求項３】
前記Ｒ1及びＲ2はともにエチル基である、請求項１に記載の単離された固体。
【請求項４】
前記Ｒ１及びＲ２は、それらが結合されている窒素原子とともに下記式のいずれかの構造を形成するものである、請求項１に記載の単離された固体。
【化３】
2012530075.tif 000003
【請求項５】
請求項１において定義された、下記式によって表される二置換アミノジフルオロスルフィニウム塩の単離された固体を調製する方法であって、式Ｒ1Ｒ2Ｎ−ＳＦ3の未精製二置換アミノ硫黄トリフルオリドをＢＦ3またはＨＢＦ4の供給源と接触させることを含み、
Ｒ１及びＲ２が請求項１において定義された通りである、方法。
【化４】
2012530075.tif 000004
【請求項６】
前記未精製二置換アミノ硫黄トリフルオリドが粗反応混合物である、請求項５に記載の方法。
【請求項７】
前記粗製で未精製の二置換アミノ硫黄トリフルオリドが二置換トリメチルシリルアミン及びＳＦ4から調製される、請求項５又は６に記載の方法。
【請求項８】
前記反応が、ハロゲン化炭素溶媒、エーテル溶媒またはこれらの混合物の存在中に行われる、請求項５〜７のいずれか一項に記載の方法。
【請求項９】
前記ＢＦ3の供給源がＢＦ3ガスまたはＢＦ3エーテラート、ＢＦ3テトラヒドロフラン錯体及びＢＦ3アセトニトリル錯体からなる群から選択される錯体である、請求項５〜８のいずれか一項に記載の方法。
【請求項１０】
前記ＨＢＦ4の供給源がＨＢＦ4エーテラート及びＨＢＦ4ジメチルエーテル錯体からなる群から選択される錯体である、請求項５〜９のいずれか一項に記載の方法。
【誤訳訂正書】
【提出日】平成26年1月20日(2014.1.20)
【誤訳訂正１】
【訂正対象書類名】明細書
【訂正対象項目名】００４１
【訂正方法】変更
【訂正の内容】
【００４１】
本発明組成物は、少なくとも1の親水性アミノ酸または正に荷電した側鎖を有するアミノ酸を含み、所望により少なくとも1の疎水性アミノ酸も含む。親水性(または極性)アミノ酸または正に荷電した側鎖を有するアミノ酸には、リジン、アルギニン、ヒスチジン、グリシン、セリン、トレオニン、チロシン、アスパラギン、およびグルタミンが含まれる。親水性アミノ酸または正に荷電した側鎖を有するアミノ酸のうち、アルギニン、またはその塩の一つ、例えば、アルギニン塩酸塩、またはアルギニンリン酸塩を選択的に用いることができる。アミノ酸、例えばグリシンおよび/またはリジン、またはその塩、例えばリジン塩酸塩を好都合に加えることができる。
【誤訳訂正２】
【訂正対象書類名】明細書
【訂正対象項目名】００４７
【訂正方法】変更
【訂正の内容】
【００４７】
ある実施例において、該組成物は、以下のものを含む：
好ましくは第VIIa因子形の第VII因子；
所望により塩酸形のアルギニン；
イソロイシン；
リジン；
グリシン；
クエン酸三ナトリウムまたは塩化カルシウム；および
適切であれば、ポリソルベート80またはポリソルベート20。
【誤訳訂正３】
【訂正対象書類名】明細書
【訂正対象項目名】００４８
【訂正方法】変更
【訂正の内容】
【００４８】
より詳細には、該組成物は以下のものを含む：
好ましくは第VIIa因子形の第VII因子；
10〜40g/lの所望により塩酸形のアルギニン；
4.2〜6.6g/lのイソロイシン；
0.6〜1.8g/lのリジン；
0.6〜1.8g/lのグリシン；
1〜2g/lのクエン酸三ナトリウム二水和物または0〜0.2g/lの塩化カルシウム二水和物；および
適切であれば、0〜0.5g/lのポリソルベート80。
【誤訳訂正４】
【訂正対象書類名】明細書
【訂正対象項目名】００４９
【訂正方法】変更
【訂正の内容】
【００４９】
ある例では、該組成物は、以下のものを含む：
第VII因子(好ましくは第VIIa因子の形の)を0.2〜2g/l、
アルギニン塩酸塩を24g/l、
イソロイシンを6g/l、
クエン酸三ナトリウム二水和物を1.5g/l、
グリシンを1.2g/l、
リジン塩酸塩を1.2g/l、および/または
ポリソルベート80を0.07g/l。
【誤訳訂正５】
【訂正対象書類名】明細書
【訂正対象項目名】００８３
【訂正方法】変更
【訂正の内容】
【００８３】
精製し、活性化した第VII因子(約0.4mg/ml)を、Superdex 200ゲルろ過カラムで緩衝液交換により製剤化した。最初に、カラムを、クエン酸三ナトリウム(1.0g/l)、アルギニン塩酸塩(30g/l)、およびイソロイシン(6.0g/l)を含む緩衝溶液で平衡化した(表：F9参照)。pH(7.0±0.2)を調整した。グリシン(1.2 mg/ml)およびリジン塩酸塩(1.2mg/ml)を加えた。製剤化したFVIIa溶液をろ過し、ボトルに1.0mL/ボトルの割合で分配した。次に、ボトルをブロモブチル栓で予備的に栓をした。次に、ボトルを先に記載のごとく凍結乾燥し、次いで40℃で6月間保存した。
【誤訳訂正６】
【訂正対象書類名】明細書
【訂正対象項目名】０１０４
【訂正方法】変更
【訂正の内容】
【０１０４】
【表１−１】
2012530770.tif 000001
【誤訳訂正７】
【訂正対象書類名】明細書
【訂正対象項目名】０１０５
【訂正方法】変更
【訂正の内容】
【０１０５】
【表１−２】
2012530770.tif 000002
【誤訳訂正書】
【提出日】平成26年11月6日(2014.11.6)
【誤訳訂正１】
【訂正対象書類名】特許請求の範囲
【訂正対象項目名】全文
【訂正方法】変更
【訂正の内容】
【特許請求の範囲】
【請求項１】
熱可塑性組成物を用いて射出成型、押出成型またはプレスにより製造した、少なくとも一種のポリオキシメチレンホモポリマーまたはコポリマーをバインダーとして含む金属製及び／又はセラミック製成型物から、バインダー除去炉中において、連続的に熱的にバインダーを除去する方法であって、
（ａ）第一の温度段階において酸素含有雰囲気下で、第二の温度段階の温度より５〜２０℃低い温度のバインダー除去炉中で４〜１２時間かけて成型物からバインダーを除去する工程と、
（ｂ）第二の温度段階において、酸素含有雰囲気下で＞１６０〜２００℃の範囲の温度で４〜１２時間かけて成型物からバインダーを除去する工程と、
（ｃ）第三の温度段階において、酸素含有または中性または還元性雰囲気下で２００〜６００℃の範囲の温度で２〜８時間かけて成型物からバインダーを除去する工程と、
を含み、
工程（ａ）、（ｂ）及び（ｃ）は、工程（ａ）、工程（ｂ）及び工程（ｃ）の順に行われ、及び
工程（ａ）及び（ｂ）が行われる間、成型物はバインダー除去炉中を輸送される、ことを特徴とする方法。
【請求項２】
上記成型物が、加工工程（ａ）の前に１〜４℃／分の加熱速度で第一の温度段階の温度にまで加熱される請求項１に記載の方法。
【請求項３】
加工工程（ａ）、（ｂ）、及び（ｃ）が同じバインダー除去炉中で行われ、
成型物が、加工工程（ａ）、（ｂ）、及び（ｃ）の間に該バインダー除去炉中を通過させられる請求項１または２に記載の方法。
【請求項４】
少なくとも２個の連続する処理室をもつ炉がバインダー除去炉として用いられる請求項１〜３のいずれか一項に記載の方法。
【請求項５】
加工工程（ａ）及び／又は（ｂ）及び／又は（ｃ）の間に成型物の輸送方向に対して横向きに成型物に酸素含有雰囲気の流れを導くガス案内装置を備えた炉が、バインダー除去炉として用いられる請求項１〜４のいずれか一項に記載の方法。
【請求項６】
セラミック製成型物からバインダーを除去するための請求項１〜５のいずれか一項に記載の方法。
【請求項７】
金属性成型物からバインダーを除去するための請求項１〜５のいずれか一項に記載の方法。
【請求項８】
（ｄ）射出成型、押出成型またはプレスにより熱可塑性組成物を成型して未焼成成型物とし、
（ｅ）請求項１に記載の方法でバインダーを除去し、
（ｆ）次いで、工程（ｅ）でバインダーが除かれたこの未焼成成型物を焼成することからなる、
熱可塑性組成物から金属製及び／又はセラミック製成型物を製造する方法。
【誤訳訂正書】
【提出日】平成26年10月16日(2014.10.16)
【誤訳訂正１】
【訂正対象書類名】特許請求の範囲
【訂正対象項目名】全文
【訂正方法】変更
【訂正の内容】
【特許請求の範囲】
【請求項１】
薬剤調合物の１回又は２回以上の個別的な投与分を収容するブリスタであって、前記個別的投与分の各々は、完全に密閉されたキャビティ内に存在し、前記ブリスタは、
（ａ）少なくとも一方の側が開いた少なくとも１つのキャビティを備えるベース要素と、
（ｂ）前記少なくとも１つのキャビティの前記少なくとも１つの開口部を閉鎖して前記薬剤調合物が入れられた中空空間を形成するためのシールフィルムと、
（ｃ）前記ベース要素と前記シールフィルムとの間に位置するシールラッカー層と、を有するブリスタにおいて、
前記ベース要素は、ポリマー層により被覆されたアルミニウム層を備え、
前記ポリマー層は、５０μｍ以下の厚さを有し、かつ、ＰＶＣから形成され、
前記シールラッカー層は、ポリメチルアクリレート及びポリアクリレートの混合物からなり、
前記シールラッカー層は、５μｍ以下の厚さを有し、
シールフィルムはアルミニウムからなり、
前記ブリスタ―は、静的平衡状態における水蒸気の透過度が、キャビティ内の相対的大気湿度が１６％、ブリスタの外部環境の大気湿度が７５％、温度が４０℃の状態で６箇月にわたって測定して３２０μｇ／ｍｍ2以下である、ことを特徴とするブリスタ。
【請求項２】
前記ベース要素と前記シールフィルムとの間に位置するシールラッカー層は、その高さが２から４μｍの間である、請求項１に記載されたブリスタ。
【請求項３】
前記ベース要素と前記シールフィルムとの間に位置するシールラッカー層は、静的平衡状態で当該シールラッカー層を通る水蒸気の透過度が、キャビティ内の相対的大気湿度が１６％、ブリスタの外部環境の大気湿度が７５％、温度が４０℃の状態で６箇月にわたって測定して１２０乃至２８０μｇ／ｍｍ2である、請求項１又は２に記載されたブリスタ。
【請求項４】
前記ベース要素と前記シールフィルムとの間に位置するシールラッカー層は、静的平衡状態で当該シールラッカー層を通る水蒸気の透過度が、キャビティ内の相対的大気湿度が１６％、ブリスタの外部環境の大気湿度が７５％、温度が４０℃の状態で６箇月にわたって測定して１２０乃至２５０μｇ／ｍｍ2である、請求項１又は２に記載されたブリスタ。
【誤訳訂正２】
【訂正対象書類名】明細書
【訂正対象項目名】００４９
【訂正方法】変更
【訂正の内容】
【００４９】
「相対的表面」という用語は、外方に視認できる表面（又は表面積）と、薬剤ポケットからなるそれぞれのブリスタユニットに関する、シールラッカー層のシーム平面の縁長さを、シールラッカー層のシームの実際の長さで除算して得られる商との積として定義される。
【誤訳訂正３】
【訂正対象書類名】明細書
【訂正対象項目名】００５８
【訂正方法】変更
【訂正の内容】
【００５８】
別の説明の仕方では、本発明は又、シールラッカー層を通る水蒸気透過によって説明できる。理想的には、静的平衡状態（「定常状態」）における透過率は、キャビティ内の大気湿度が約１６％、ブリスタの外部環境の大気湿度が７５％、温度が４０℃の状態で６箇月にわたって測定した場合、３２０μｇ／ｍｍ2以下のシールラッカー層であり、好ましくは、６０μｇ／ｍｍ2から２８０μｇ／ｍｍ2のシールラッカー層であり、より好ましくは、１２０μｇ／ｍｍ2から２８０μｇ／ｍｍ2のシールラッカー層であり、特により好ましくは、１２０μｇ／ｍｍ2から２５０μｇ／ｍｍ2のシールラッカー層以下である。
【手続補正書】
【提出日】平成26年5月12日(2014.5.12)
【手続補正１】
【補正対象書類名】明細書
【補正対象項目名】００３８
【補正方法】変更
【補正の内容】
【００３８】
有利には、電気活性ポリマーは、ポリピロール、ポリアセチレン、ポリアジン、ポリ(ｐ-フェニレン)、ポリ(ｐ-フェニレンビニレン)、ポリピレン、ポリチオフェン、ポリフラン、ポリセレノフェン、ポリピリダジン、ポリカルバゾール、及びポリアニリンを含んでなる群から選択される。
【手続補正書】
【提出日】平成26年6月27日(2014.6.27)
【手続補正１】
【補正対象書類名】特許請求の範囲
【補正対象項目名】全文
【補正方法】変更
【補正の内容】
【特許請求の範囲】
【請求項１】
略管状のルーメンを画定する壁部であって、前記ルーメンと分岐脈管との流体連通を提供するための開窓（２４）を画定する壁部であり、前記開窓が円周方向周辺部を有する壁部（２２）と；
前記開窓の周辺部に追従するように湾曲し、それにより補強リング（６０）を画定する弾性補強線（７１）と；
前記弾性補強線（７１）の周囲に湾曲した螺旋を形成するように、前記補強リングの弾性線の周囲に螺旋状に巻回されたマーカー巻線であって、マーカー線から巻回されるマーカー巻線であり、使用するための配置形状と送達器具に装填するための押し潰された形状の両方で前記補強線を横断する向きに配置されているマーカー巻線（８０）と；
を備えるステントグラフトであって、
前記マーカー巻線（８０）が、前記開窓の周辺部の位置を表示するように電磁放射線を使用する画像表示システムで視認可能である、ステントグラフト（１０）。
【請求項２】
前記マーカー巻線（８０）が前記補強リングの弾性線の周囲に湾曲した通路を画定し、前記湾曲した通路が内径Ｄを有し、前記マーカー巻線は、前記補強リングの弾性線に沿った長さＤ当たりの巻数が少なくとも１となるピッチで螺旋状に巻回されている、請求項１に記載のステントグラフト。
【請求項３】
前記マーカー巻線（８０）が６０度より大きいピッチで螺旋状に巻回されている、請求項１または２に記載のステントグラフト。
【請求項４】
前記マーカー巻線が７５度より大きいピッチで螺旋状に巻回されている、請求項３に記載のステントグラフト。
【請求項５】
前記マーカー巻線が０．２ｍｍ〜０．５ｍｍの範囲の直径を有する、請求項１〜４のいずれか一項に記載のステントグラフト。
【請求項６】
前記弾性補強線（７１）がニチノールである、請求項１または２に記載のステントグラフト。
【請求項７】
前記マーカー巻線（８０）が放射線不透過性である、請求項１または２に記載のステントグラフト。
【請求項８】
前記マーカー巻線（８０）が金線を含む、請求項１または２に記載のステントグラフト。
【請求項９】
金線の直径が０．４ｍｍ未満である、請求項１または２に記載のステントグラフト。
【請求項１０】
前記補強リング（６０）が前記壁部（２２）に縫着されている、請求項２に記載のステントグラフト。
【請求項１１】
前記螺旋状に巻回されたマーカー巻線（８０）が前記弾性線の周囲に湾曲した通路を画定し、前記湾曲した通路が内径を有し、前記弾性線が直径を有し、前記湾曲した通路の内径が前記弾性線の直径の少なくとも２倍である、請求項１に記載のステントグラフト。
【請求項１２】
前記弾性補強線（７１）が、円形の形状の複数回巻回した実質的に非伸長性の弾性線および前記弾性線の各端部の末端部であって、前記末端部がそれぞれループ（７２、７８）を備え、各ループが、前記円形の形状の周長を実質的に固定するように開口部または開窓を有するステントグラフトに取り付け可能である、弾性線および末端部を有し、
周囲に前記マーカー巻線（８０）が巻回された前記円形の形状の弾性線（７１）は、半径方向の圧力がかかると、送達器具に装填されるように押し潰された円形の形状を形成するように折り畳み可能であり、前記送達器具から解放されると自己拡張して実質的に円形の形状に戻るようになされている請求項１〜１１のいずれか一項に記載のステントグラフト。
【請求項１３】
前記補強リング（６０）およびマーカー巻線（８０）が前記ステントグラフト（１０）の壁部に縫着されている、請求項１２に記載のステントグラフト。
【手続補正書】
【提出日】平成26年8月19日(2014.8.19)
【手続補正１】
【補正対象書類名】特許請求の範囲
【補正対象項目名】全文
【補正方法】変更
【補正の内容】
【特許請求の範囲】
【請求項１】
アラビノキシラン、アラビノキシランオリゴ糖、キシロース、可溶性繊維デキストラン、可溶性トウモロコシ繊維、ポリデキストロース、およびそれらの混合物から成る群から選択される少なくとも１つのプレバイオティクス炭水化物、ならびに少なくとも１つのプロバイオティクス胞子形成バチルス菌を含む、シンバイオティクス製品。
【請求項２】
前記少なくとも１つのプレバイオティクス炭水化物が、可溶性繊維デキストラン、可溶性トウモロコシ繊維、ポリデキストロース、およびそれらの混合物から成る群から選択され、かつ前記少なくとも１つのプロバイオティクス胞子形成バチルス菌が、バチルス・リケニフォルミス（B. licheniformis）、バチルス・プミリス（B. pumilis）、およびそれらの混合物から成る群から選択される、請求項１に記載のシンバイオティクス製品。
【請求項３】
前記プレバイオティクス炭水化物が、可溶性トウモロコシ繊維、可溶性繊維デキストラン、またはポリデキストロースである、請求項１または２に記載のシンバイオティクス製品。
【請求項４】
前記プレバイオティクス炭水化物が、可溶性トウモロコシ繊維、可溶性繊維デキストラン、またはそれらの混合物である、請求項１または２に記載のシンバイオティクス製品。
【請求項５】
前記プレバイオティクス炭水化物が、可溶性トウモロコシ繊維である、請求項１または２に記載のシンバイオティクス製品。
【請求項６】
前記胞子形成バチルス菌が、枯草菌（B. subtilis）、バチルス・コアグランス（B. coagulans）、バチルス・リケニフォルミス（B. licheniformis）、バチルス・クラウジ（B. clausii）、バチルス・プミリス（B. pumilis）、およびそれらの混合物から成る群から選択される、請求項１〜４のいずれか１項に記載のシンバイオティクス製品。
【請求項７】
前記胞子形成バチルス菌が、枯草菌（B. subtilis）である、請求項１〜４のいずれか１項に記載のシンバイオティクス製品。
【請求項８】
前記胞子形成バチルス菌が、バチルス・リケニフォルミス（B. licheniformis）、バチルス・プミリス（B. pumilis）、およびそれらの混合物である、請求項１〜４のいずれか１項に記載のシンバイオティクス製品。
【請求項９】
前記胞子形成バチルス菌が、胞子の形で提供される、請求項１〜８のいずれか１項に記載のシンバイオティクス製品。
【請求項１０】
前記プロバイオティクス胞子成分が、乾燥重量グラムあたり、最大約１０１１個の生存胞子を含む、請求項９に記載のシンバイオティクス製品。
【請求項１１】
前記プロバイオティクス胞子成分が、乾燥重量グラムあたり、約１０９〜約１０１１個の生存胞子を含む、請求項９に記載のシンバイオティクス製品。
【請求項１２】
前記シンバイオティクス製品が、乾燥重量グラムあたり、少なくとも約１０５個の生存プロバイオティクス胞子を含む、請求項９に記載のシンバイオティクス製品。
【請求項１３】
前記シンバイオティクス製品が、乾燥重量グラムあたり、約１０５〜約１０７個の生存プロバイオティクス胞子を含む、請求項９に記載のシンバイオティクス製品。
【請求項１４】
請求項１〜１３のいずれか１項に記載のシンバイオティクス製品を含む、食品。
【請求項１５】
哺乳動物の腸管中で胞子形成バチルス菌の力価を増加させる方法であって、前記方法が、前記哺乳動物に、有効量の請求項１〜１３のいずれか１項に記載のシンバイオティクス製品を投与することを含む、方法。
【請求項１６】
前記シンバイオティクス製品が、任意の１日間のプレバイオティクス炭水化物の量が約１ｇ〜約２５ｇであり、かつ任意の１日間のプロバイオティクス胞子形成バチルス菌の量が約１０４ＣＦＵ〜約１０１０ＣＦＵとなるように投与される、請求項１５に記載の方法。
【手続補正書】
【提出日】平成26年4月24日(2014.4.24)
【手続補正１】
【補正対象書類名】特許請求の範囲
【補正対象項目名】全文
【補正方法】変更
【補正の内容】
【特許請求の範囲】
【請求項１】
胆嚢頚部の遠位側の胆嚢の一部内に胆石又は胆石片を維持する胆嚢治療デバイスにおいて：
最大径が３ｍｍより大きい胆石又は胆石片の通過を妨げる寸法のフィルタ特性を有する少なくとも一のエレメントで形成したフレームと；
前記フレームから延在し、胆嚢の中央縦軸に交差する方向に前記フレームを固定して、最大径が３ｍｍより小さい胆石又は胆石片を前記フレームの一方の側で前記胆嚢内に残す、複数の支柱と；
を具えることを特徴とする胆嚢治療デバイス。
【請求項２】
請求項１に記載の胆嚢治療デバイスにおいて、前記フレームが、曲率半径が約０．１ｃｍ乃至約１．０ｃｍのほぼ円形の外形を有することを特徴とする胆嚢治療デバイス。
【請求項３】
請求項１に記載の胆嚢治療デバイスにおいて、前記フレームが、曲率半径が約０．１ｃｍ乃至約１．０ｃｍのほぼ円錐形の外形を有することを特徴とする胆嚢治療デバイス。
【請求項４】
請求項１乃至３のいずれか１項に記載の胆嚢治療デバイスにおいて、前記少なくとも一のエレメントがフレキシブルシート材であり、前記フィルタ特性が、前記フレキシブルシートに形成した、最大径が３ｍｍより小さい複数の開口であることを特徴とする胆嚢治療デバイス。
【請求項５】
請求項１乃至４のいずれか１項に記載の胆嚢治療デバイスにおいて、前記少なくとも一のエレメントがブレード構造の複数のストランド又は複数の縫合用ストランドであり、隣接するストランド間のスペースが３ｍｍより小さいフィルタ特性を維持していることを特徴とする胆嚢治療デバイス。
【請求項６】
請求項１乃至５のいずれか１項に記載の胆嚢治療デバイスにおいて、前記複数の支柱が、胆嚢の中央縦軸に交差する方向に前記フレームを維持するのに十分な半径方向の力によって、前記胆嚢の壁に対して外側に変位する形状であることを特徴とする胆嚢治療デバイス。
【請求項７】
請求項１乃至６のいずれか１項に記載の胆嚢治療デバイスにおいて、前記支柱の一部が、前記胆嚢の壁に係合する固定エレメントを具えることを特徴とする胆嚢治療デバイス。
【請求項８】
請求項７に記載の胆嚢治療デバイスにおいて、前記固定エレメントが複数のスパイクであることを特徴とする胆嚢治療デバイス。
【請求項９】
請求項１乃至８のいずれか１項に記載の胆嚢治療デバイスにおいて、前記フレームの少なくとも一部又は前記支柱の少なくとも一部が、胆嚢の生体膜形成を阻止する材料で被覆されていることを特徴とする胆嚢治療デバイス。
【請求項１０】
請求項９に記載の胆嚢治療デバイスにおいて、前記材料が、消化管の感染を治療するのに適した抗生物質群から選択された抗生物質であることを特徴とする胆嚢治療デバイス。
【請求項１１】
請求項１乃至１０のいずれか１項に記載の胆嚢治療デバイスにおいて、前記フレームの少なくとも一部又は前記支柱の少なくとも一部が、実質的に非多孔質で、疎水性の表面を有する材料で形成されていることを特徴とする胆嚢治療デバイス。
【請求項１２】
請求項１乃至１１のいずれか１項に記載の胆嚢治療デバイスにおいて、前記複数の支柱が、胆嚢基底部の壁の湾曲部の一部に合致する形状であり、前記胆嚢基底部の一部に胆嚢の中央縦軸に交差する方向に前記フレームを維持し、前記フレームの一方の側であって、前記胆嚢基底部のより遠位側部分に最大径が３ｍｍより大きい胆石又は胆石片を維持することを特徴とする胆嚢治療デバイス。
【請求項１３】
請求項１乃至１２のいずれか１項に記載の胆嚢治療デバイスにおいて、前記前記複数の支柱が、胆嚢本体部の壁の湾曲部の一部に合致する形状であり、前記胆嚢本体部の一部に胆嚢の中央縦軸に交差する方向に前記フレームを維持し、前記フレームの一方の側であって、前記胆嚢基底部の一部内でかつ前記胆嚢本体部のより遠位側部分に最大径が３ｍｍより大きい胆石又は胆石片を維持することを特徴とする胆嚢治療デバイス。
【請求項１４】
請求項１乃至１３のいずれか１項に記載の胆嚢治療デバイスにおいて、前記複数の支柱が、閉じた又は実質的に閉じた三次元構造又は前記胆嚢内に合致する寸法の球形又は楕円形の形状内に形成されていることを特徴とする胆嚢治療デバイス。
【請求項１５】
請求項９に記載の胆嚢治療デバイスにおいて、前記一又はそれより多い固定エレメントが、前記周辺部の周りにほぼ均等にスペースを空けて配置されているフックであることを特徴とする胆嚢治療デバイス。
【手続補正書】
【提出日】平成26年4月11日(2014.4.11)
【手続補正１】
【補正対象書類名】特許請求の範囲
【補正対象項目名】全文
【補正方法】変更
【補正の内容】
【特許請求の範囲】
【請求項１】
ブース内にいる人の皮膚に製品を散布するための装置であって、前記装置は：
前記製品を吐出するように構成される散布機と；
前記散布機の縦方向の移動を案内するように構成されるガイドと；
前記ガイドを動かすように構成されるアームと；
前記散布機を前記ガイドに沿って移動させると共に、該散布機に前記製品を吐出させるように構成される制御回路と；
を備える、装置。
【請求項２】
前記アームは前記ガイドを回転させるように構成される、請求項１に記載の装置。
【請求項３】
前記アームは、各々方位角が異なるとびとびの位置に前記ガイドを回転させるように構成される、請求項１または２に記載の装置。
【請求項４】
前記制御回路は、前記ガイドの各方位角位置において、前記散布機を前記ガイド上で縦方向に移動させると共に、前記散布機に前記製品を吐出させるように構成される、請求項３に記載の装置。
【請求項５】
前記ガイドの長手方向は縦方向である、請求項１ないし４の何れかに記載の装置。
【請求項６】
前記アームは、前記ガイドの前記長手方向に沿う回転軸の周りに回転させるように構成される、請求項５に記載の装置。
【請求項７】
前記アームは前記ガイドを回転軸の周りに回転させるように構成され、ここで前記回転軸は前記ガイドの前記長手方向から離れており、且つ実質的に前記長手方向に平行である、請求項５または６に記載の装置。
【請求項８】
前記制御回路は、製品散布プログラムに従って、前記ガイドにおける前記散布機の動きを制御すると共に、前記アームの動きを制御するように構成される、請求項１ないし７の何れかに記載の装置。
【請求項９】
前記制御回路により使用される前記製品散布プログラムは、前記製品が散布されようとしている人の体重に基づく、請求項８に記載の装置。
【請求項１０】
前記制御回路により使用される前記製品散布プログラムは、前記製品が散布されようとしている人の身長に基づく、請求項８または９に記載の装置。
【請求項１１】
前記制御回路は、前記ガイドにおける前記散布機の速度を、前記製品が散布されようとしている身体の部位に応じて制御するように構成される、請求項８ないし１０の何れかに記載の装置。
【請求項１２】
前記装置はさらに、前記製品が散布されようとしている人の身長を感知するためのセンサを備える、請求項１ないし１１の何れかに記載の装置。
【請求項１３】
前記装置はさらに、前記製品が散布されようとしている人の体重を感知するためのセンサを備える、請求項１ないし１２の何れかに記載の装置。
【請求項１４】
前記ガイドの動きを妨害するものを感知するセンサをさらに備え、前記制御回路が、前記ガイドの動きを妨害するものを感知することに応じて前記ガイドの動きを止めるように構成される、請求項１ないし１３の何れかに記載の装置。
【請求項１５】
前記散布機は人の皮膚上に前記製品をスプレーするように構成されるスプレーガンである、請求項１ないし１４の何れかに記載の装置。
【請求項１６】
前記スプレーガンの吐出量および吹付け範囲は可変であり、また前記制御回路はスプレーされようとする人の体重に基づいて吐出量および吹付け範囲を制御するように構成される、請求項１５に記載の装置。
【請求項１７】
請求項１ないし１６の何れかに記載の装置を含む、ブース。
【請求項１８】
前記ブースは、内部空間を画定し、人が前記ブース内に入り前記内部空間に位置することを可能にする出入り口を有し、ここで前記ガイドは前記出入り口の外側に位置する、請求項１７に記載のブース。
【請求項１９】
人の皮膚上に製品を散布するためのブースであって：
出入り口と；
前記製品を吐出するように構成される散布機と；
前記散布機の縦方向の移動を案内するように構成されるガイドと；
前記ブースの天井部に位置するアームであって、前記ガイドを、各々方位角が異なる位置へと、とびとびのステップで、前記出入り口を横切るように回転させるアームと；
前記ガイドの各方位角位置において、前記散布機を前記ガイドに沿って縦方向に移動させると共に、前記散布機に前記製品を吐出させるように構成される制御回路と；
を含む、ブース。
【手続補正書】
【提出日】平成26年3月28日(2014.3.28)
【手続補正１】
【補正対象書類名】特許請求の範囲
【補正対象項目名】全文
【補正方法】変更
【補正の内容】
【特許請求の範囲】
【請求項１】
光画定可能（photo-definable）な乾燥膜から形成された第１の高分子層と、
前記第１の高分子層をそれぞれ通って延在する複数の第１の開口と、を含むマイクロフィルタ。
【請求項２】
前記光画定可能な乾燥膜は、エポキシ系の光画定可能な乾燥膜である、請求項１に記載のマイクロフィルタ。
【請求項３】
光画定可能な乾燥膜から形成された第２の高分子層であって、当該第２の高分子層を通って延在する第２の開口を有する高分子層を更に備え、
前記第１の開口の少なくとも一つと前記第２の開口とが、前記第１および第２の層を通って延在する非線形通路の少なくとも一部を規定する、
請求項１に記載のマイクロフィルタ。
【請求項４】
光画定可能な乾燥膜から形成された第３の高分子層であって、当該第３の高分子層を通って延在する第３の開口を有する高分子層をさらに含み、
前記第１の開口の少なくとも一つと、前記第２の開口と、前記第３の開口と、が前記第１、第２、および第３の層を通る非線形通路の少なくとも一部を規定する、
請求項３に記載のマイクロフィルタ。
【請求項５】
前記高分子層の少なくとも１つの、少なくとも一つの面上に一つ又は複数の要素のコーティングをさらに含む、請求項１ないし４のいずれか一項に記載のマイクロフィルタ。
【請求項６】
前記要素は、分析物認識要素である、請求項５に記載のマイクロフィルタ。
【請求項７】
光画定可能な乾燥膜から形成された第２の高分子層であって、当該第２の高分子層をそれぞれ通って延在する複数の第２の開口を有する高分子層と、
光画定可能な乾燥膜から形成された第３の高分子層であって、当該第３の高分子層をそれぞれ通って延在する複数の第３の開口を有する高分子層と、
をさらに含み、
前記第１、第２、および第３の開口の少なくともいくつかが、それぞれ前記第１、第２、および第３の層をそれぞれ通って延在する複数の非線形通路を構成する、
請求項１に記載のマイクロフィルタ。
【請求項８】
基板上に配された光画定可能な乾燥膜の第１の層を準備するステップと、
乾燥膜の前記第１の層にマスクによって規定されたパターンを形成するため、前記マスクを通る電磁放射により前記第１の層を露光するステップと、
乾燥膜の前記露光された第１の層から、第１の高分子層を形成するステップであって、当該第１の高分子層は当該第１の高分子層を通って延在する複数の第１の開口を有し、当該複数の第１の開口は、前記パターンにより規定された分布を有するステップと、
を含む、
マイクロフィルタの形成方法。
【請求項９】
前記光画定可能な乾燥膜は、エポキシ系の光画定可能な乾燥膜である、請求項８に記載の方法。
【請求項１０】
前記マスクを通るエネルギーにより乾燥膜の前記第１の層を露光するステップは、前記パターンを規定する光学マスクを通る紫外線（ＵＶ）光により乾燥膜の前記第１の層を露光するステップを含む、請求項８に記載の方法。
【請求項１１】
前記マスクを通るエネルギーにより乾燥膜の前記第１の層を露光するステップは、
前記パターンを規定するＸ線マスクを通るＸ線により乾燥膜の前記第１の層を露光するステップを含む、請求項８に記載の方法。
【請求項１２】
前記第１の高分子層上に光画定可能な乾燥膜の第２の層を積層するステップと、
乾燥膜の前記第２の層から第２の高分子層を形成ステップであって、当該第２の高分子層は、当該第２の高分子層を通って延在する複数の第２の開口を有するものであるステップと、
を含み、
前記第１及び第２の高分子層を通って延在する非線形通路が、前記第１の開口の一つと、前記第２の開口の一つと、により、少なくとも部分的に規定される、
請求項８又は９に記載の方法。
【請求項１３】
前記第２のマイクロフィルタ上に光画定可能な乾燥膜の第３の層を積層するステップと、
乾燥膜の前記第３の層から第３の高分子層を形成するステップであって、当該第３の高分子層は当該第３の高分子層を通って延在する複数の第３の開口を有するステップと、
を含み、
第１、第２、及び第３の高分子層を通って延在する非線形通路が、前記第１の開口の一つと、前記第２の開口の一つと、前記第３の開口の一つと、により、少なくとも部分的に規定される、
請求項１２に記載の方法。
【請求項１４】
前記第１、第２、及び第３の高分子層の少なくとも一つの、少なくとも一つの面を、一つ又は複数の要素でコーティングするステップを更に含む、
請求項８ないし１３のいずれか一項に記載の方法。
【請求項１５】
前記要素の少なくとも一つは、分析物認識要素である、請求項１４に記載の方法。
【請求項１６】
前記高分子層から前記基板を除去するステップを更に含む、
請求項８、１２、又は１３に記載の方法。
【請求項１７】
請求項１ないし７のいずれか一項に記載のマイクロフィルタを含む濾過の方法であって、
液体を前記マイクロフィルタの複数の開口に通過させるステップを含み、
前記マイクロフィルタは、前記液体内の第１のタイプの成分は本質的に通過させるが、当該液体内の第２のタイプの成分は実質的に通過させないサイズで構成されたアパーチャを含む、前記液体をフィルタする構造体を備える、
方法。
【請求項１８】
前記液体を前記複数の開口に通過させる前に、フィルタホルダの中又は上に前記マイクロフィルタを配置するステップをさらに含む、請求項１７に記載の方法。
【請求項１９】
（補正：請求項６４）
前記液体は体液を含む、請求項１７に記載の方法。
【請求項２０】
請求項１７に記載の方法において、
前記第２のタイプの成分は、前記マイクロフィルタの前記構造体により捕獲され、
前記方法は、さらに、前記捕獲された第２のタイプの成分を分析するステップを含む、
方法。
【請求項２１】
前記分析するステップは、同定、免疫蛍光法、計数、シークエンシング、ＰＣＲ、蛍光ｉｎ−ｓｉｔｕハイブリダイゼーション、ｍ−ＲＮＡ  ｉｎ−ｓｉｔｕハイブリダイゼーション、その他の分子特性解析、免疫組織化学、病理組織染色、フローサイトメトリー法、画像解析、酵素アッセイ、遺伝子発現プロファイリング解析、赤血球変形能試験、白血球反応性試験、治療効果試験、濃厚細胞の培養、および濃厚希少細胞の治療使用、の少なくとも一つ又は複数と、前記マイクロフィルタからの分離と、を含む、
請求項２０に記載の方法。
【請求項２２】
前記液体内の前記第２のタイプの成分は、循環腫瘍細胞、腫瘍細胞、上皮間葉移行細胞、白血球、Ｂ細胞、Ｔ細胞、母体血液中の循環胎児細胞、循環内皮細胞、間質細胞、間葉細胞、内皮細胞、上皮細胞、幹細胞、非造血細胞、の少なくとも一つを含む、
請求項１７に記載の方法。
【請求項２３】
請求項１７ないし２２のいずれか一項に記載の濾過の方法であって、
前記液体を前記マイクロフィルタの構造体に押し通すステップ、または、
負圧を印加して、前記マイクロフィルタの構造体を介して前記液体を引き込むステップ、
のいずれかを更に含む、
方法。
【手続補正書】
【提出日】平成26年7月28日(2014.7.28)
【手続補正１】
【補正対象書類名】特許請求の範囲
【補正対象項目名】全文
【補正方法】変更
【補正の内容】
【特許請求の範囲】
【請求項１】
経管心臓弁であって、
拡張可能な略管状ケージであって、拡張されたときに、
略均等な中心領域、
前記中心領域に対してそれぞれ直径方向に狭窄した第１および第２の端部、および
前記ケージの前記第１の端部から前記略均等な中心領域内に延伸する血液不浸透性領域を含む拡張可能な略管状ケージと、
膨張されたときに、前記ケージ内で自在に配置および捕捉される膨張型プランジャと、
を備える、経管心臓弁。
【請求項２】
前記略管状ケージは、前記ケージが拡張されたときに、間にセルを形成する複数の支柱を備える、請求項１に記載の経管心臓弁。
【請求項３】
前記血液不浸透性領域内の前記セルが、血液不浸透性材料によって満たされる、請求項２に記載の経管心臓弁。
【請求項４】
前記血液不浸透性材料が、ポリマー材料を含む、請求項３に記載の経管心臓弁。
【請求項５】
前記血液不浸透性材料が、多孔性織金網および多孔性不織金属膜からなる血液不浸透性材料の群から選択される、請求項３に記載の経管心臓弁。
【請求項６】
前記膨張型プランジャが、真空蒸着金属層、複数の真空蒸着金属層、ポリマー材料、および擬金属材料からなる材料の群から選択される材料から作製される、請求項１に記載の経管心臓弁。
【請求項７】
前記膨張型プランジャが、気体、液体、および硬化ポリマー材料からなる膨張媒質の群から選択される膨張媒質によって膨張される、請求項１に記載の経管心臓弁。
【請求項８】
前記拡張可能な略管状ケージが、バルーン拡張型である、請求項１に記載の経管心臓弁。
【請求項９】
前記拡張可能な略管状ケージが、自己拡張型である、請求項１に記載の経管心臓弁。
【請求項１０】
前記拡張可能な略管状ケージが、擬金属材料から製造される、請求項１に記載の経管心臓弁。
【手続補正書】
【提出日】平成26年7月30日(2014.7.30)
【手続補正１】
【補正対象書類名】特許請求の範囲
【補正対象項目名】全文
【補正方法】変更
【補正の内容】
【特許請求の範囲】
【請求項１】
患者に加圧ガス流を供給するのに使用するインタフェースシステムにおいて、
前記患者の鼻孔及び/又は口腔に連動するように構成される患者インタフェース、
前記患者インタフェースに結合される導管であり、前記加圧ガス流を前記患者インタフェースに伝えるように構成される導管、並びに
前記患者インタフェース又は前記導管に動作可能なように結合され、上記患者の気道への前記加圧ガス流を選択的に妨げるように構成されるバルブ機構であり、前記バルブ機構はユーザが当該バルブ機構を作動させることを可能にするための手動で操作される要素を含んでいるバルブ機構であり、前記バルブ機構は、ゲート部材が前記患者への加圧ガス流を一般に妨げないように構成される第１の位置と、前記ゲート部材が前記患者への加圧ガス流を妨げるように構成される第２の位置との間を選択的に動くことができる前記ゲート部材を有し、前記ゲート部材は前記第１の位置に向けて偏らされている、前記バルブ機構
を有するインタフェースシステム。
【請求項２】
前記ゲート部材は前記加圧ガス流により前記第１の位置に偏らされるように構成される、請求項１に記載のインタフェースシステム。
【請求項３】
前記ゲート部材は当該ゲート部材を前記第１の位置に偏らされるように置かれるばね部材を有する、請求項１に記載のインタフェースシステム。
【請求項４】
前記手動で操作される要素は、前記ゲート部材を前記第１の位置と、前記患者によりスイッチ部分が噛み合う前記第２の位置との間を動かすのに適したスイッチ部分を有する、請求項１に記載のインタフェースシステム。
【請求項５】
前記スイッチ部分は、
（ａ）前記マスク若しくは前記導管の外側部分に置かれるレバー、又は
（ｂ）前記導管の外側部分に置かれ、一般に当該外側部分を覆っているカラー部材
を有する請求項４に記載のインタフェースシステム。
【請求項６】
前記導管は中心軸の周りに一般に配置され、前記スイッチ部分は、前記中心軸に対し一般に垂直に配向される他の軸の周りを回転可能である、請求項４に記載のインタフェースシステム。
【請求項７】
前記導管は中心軸の周りに一般に配置され、前記スイッチ部分は、
（ａ）前記中心軸に平行な方向に一般に摺動可能である、又は
（ｂ）前記中心軸の周りを回転可能である
請求項４に記載のインタフェースシステム。
【請求項８】
患者に加圧ガス流を供給するのに使用する導管であり、前記導管は、
（ａ）第１の端部と反対側の第２の端部とを有するハウジングであり、前記第１の端部は患者インタフェースに結合されるように構成され、前記第２の端部は加圧ガス供給源に結合されるように構成され、前記ハウジングを介して前記加圧ガス流を伝えるように構成されるハウジング、並びに
（ｂ）前記ハウジングに結合されるバルブ機構
を有し、前記バルブ機構は、
（１）前記ゲート部材は前記ハウジングを通る前記加圧ガス流を一般に妨げないように構成される第１の位置と、前記ゲート部材は前記ハウジングを通る前記加圧ガス流を一般に妨げるように構成される第２の位置とを選択的に動くことができるゲート部材、及び
（２）前記バルブ機構をユーザが動かすことを可能にするための手動で操作される要素
を有し、前記ゲート部材は前記第１の位置に向けて偏らされる
導管。
【請求項９】
前記ゲート部材は前記加圧ガス流により前記第１の位置に偏らされるように構成される、請求項８に記載の導管。
【請求項１０】
前記ゲート部材は当該ゲート部材を前記第１の位置に偏らされるように置かれるばね部材を有する、請求項８に記載の導管。
【請求項１１】
前記手動で操作される要素は、前記ゲート部材を前記第１の位置と、患者により噛み合う前記第２の状態との間を動かすのに適したスイッチ部分を有する、請求項８に記載の導管。
【請求項１２】
前記スイッチ部分は、前記ハウジングの外側部分に置かれるレバー、又は前記ハウジングの外側部分に置かれ、一般に当該外側部分を覆っているカラー部材を有する、請求項１１に記載の導管。
【請求項１３】
加圧ガスの患者への供給を提供する方法において
前記患者の鼻孔及び/又は口腔を連動するように構成されるインタフェースシステムを設けるステップ、
前記インタフェースシステムにガス流を供給するステップ、
前記ガス流内にバルブ機構を設けるステップであり、前記バルブ機構は第１の位置において前記バルブ機構が前記患者への加圧ガス流を実質的に妨げるように構成される、ステップ、並びに
前記バルブ機構が前記第１の位置に動くために、前記バルブ機構に動作可能であるように結合される手動で操作される要素を動作させるステップ、
を有する方法。
【請求項１４】
前記手動で操作される要素を放すステップをさらに含み、前記手動で操作される要素を放す前記ステップは、加圧ガス流が前記インタフェースシステムに供給される第２の位置に前記バルブ機構を動かす、請求項１３に記載の方法。
【請求項１５】
前記インタフェースシステムは患者インタフェース及び導管を含み、前記バルブ機構は、前記患者インタフェース又は前記導管と動作可能なように結合される、請求項１３に記載の方法。
【手続補正書】
【提出日】平成26年3月3日(2014.3.3)
【手続補正１】
【補正対象書類名】特許請求の範囲
【補正対象項目名】全文
【補正方法】変更
【補正の内容】
【特許請求の範囲】
【請求項１】
シェルおよび液状の水不溶性物質のコアを含有するマイクロカプセルの製造方法であって、保護コロイドの水溶液と、少なくとも２つの構造的に異なる少なくとも二官能性のジイソシアネート（Ａ）および（Ｂ）の混合物の溶液とを、水不溶性液体中で、エマルジョンが形成されるまで混合し、次いで少なくとも二官能性のアミンを添加した後、マイクロカプセルが形成されるまで少なくとも６０℃の温度まで加熱する、ここで、該イソシアネート（Ｂ）は、アニオン変性イソシアネートまたはポリエチレンオキシド含有イソシアネートから選択され、該イソシアネート（Ａ）は、無電荷であり、かつ、ポリエチレンオキシド含有イソシアネートではない、製造方法。
【請求項２】
ポリビニルピロリドンを保護コロイドとして使用する、請求項１に記載の方法。
【請求項３】
イソシアネート（Ａ）は、ヘキサン１,６-ジイソシアネート、ヘキサン１,６-ジイソシアネートビウレット、ヘキサン１,６-ジイソシアネートのオリゴマー、特にヘキサン１,６-ジイソシアネートのトリマー、およびジシクロヘキサンメチレンジイソシアネートからなる群から選択される、請求項１または２に記載の方法。
【請求項４】
イソシアネート（Ｂ）は、分子中に少なくとも１個のスルホン酸基、好ましくはアミノスルホン酸基を含有するアニオン変性ジイソシアネートの群から選択される、請求項１〜３のいずれかに記載の方法。
【請求項５】
使用する少なくとも二官能性のアミンはポリエチレンイミンである、請求項１〜４のいずれかに記載の方法。
【請求項６】
イソシアネート（Ａ）：（Ｂ）の重量比は、１０：１〜１：１０、好ましくは５：１〜１：５、特に３：１〜１：１の範囲である、請求項１〜５のいずれかに記載の方法。
【請求項７】
マイクロカプセルのコア-シェル比（ｗ/ｗ）は、２０：１〜１：１０、好ましくは５：１〜２：１、特に４：１〜３：１である、請求項１〜６のいずれかに記載の方法。
【請求項８】
（ａ）水および保護コロイドからプレミックス（Ｉ）を製造し、
（ｂ）該プレミックスを５〜１２の範囲のｐＨに調整し、
（ｃ）液状の水不溶性物質と、イソシアネート（Ａ）および（Ｂ）から、さらなるプレミックス（ＩＩ）を製造し、
（ｄ）該２つのプレミックス（Ｉ）および（ＩＩ）を、エマルジョンが形成されるまで混合し、
（ｅ）次いで、工程（ｄ）で得たエマルジョン中に、少なくとも二官能性のアミンを計量添加し、
（ｆ）次いで、該エマルジョンを、マイクロカプセルが形成されるまで、少なくとも６０℃の温度まで加熱する、
請求項１〜７のいずれかに記載の方法。
【請求項９】
工程段階（ｂ）においてｐＨを８〜１２に調整する、請求項８に記載の方法。
【請求項１０】
（ａ）水および保護コロイドからプレミックス（Ｉ）を製造し、
（ｂ）該プレミックスを５〜１２の範囲のｐＨに調整し、
（ｃ）２１℃で液状の水不溶性物質とイソシアネート（Ａ）から、さらなるプレミックス（ＩＩ）を製造し、
（ｄ）プレミックス（Ｉ）および（ＩＩ）から撹拌によりエマルジョンを形成させ、これに、
（ｅ）第２のイソシアネート（Ｂ）を添加し、次いで、エマルジョンのｐＨを５〜１０に調整し、
（ｆ）次いで、工程（ｅ）で得たエマルジョン中に、少なくとも二官能性のアミンを計量添加し、
（ｇ）次いで、マイクロカプセルが形成されるまで、少なくとも６０℃の温度まで加熱する、
請求項１〜９のいずれかに記載の方法。
【請求項１１】
工程（ｅ）においてｐＨを７.５〜９.０に調整する、請求項１０に記載の方法。
【請求項１２】
請求項１に記載の方法で製造することができるマイクロカプセルを、分散体の総重量に基づいて５〜５０重量％、好ましくは１５〜４０重量％含有する、水性分散体。
【請求項１３】
水不溶性液体の液状コア、および、少なくとも２つの異なる少なくとも二官能性のイソシアネート（Ａ）および（Ｂ）ならびに少なくとも二官能性のアミンの反応生成物のシェルを含有する、香料不含マイクロカプセルであって、該イソシアネート（Ｂ）は、アニオン変性イソシアネートまたはポリエチレンオキシド含有イソシアネート、あるいはこのタイプの混合物であり、ただし、マイクロカプセルの製造中におけるイソシアネート（Ａ）および（Ｂ）の重量比は、１０：１〜１：１０の範囲である、マイクロカプセル。
【請求項１４】
１〜５０μｍの直径を有する、請求項１３に記載のマイクロカプセル。
【請求項１５】
水性分散体の形態で存在する、請求項１３または１４に記載のマイクロカプセル。
【請求項１６】
ホルムアルデヒドを含有しない、請求項１３〜１５のいずれかに記載のマイクロカプセル。
【請求項１７】
繊維製品、紙または不織布の仕上げ用の、請求項１３〜１６のいずれかに記載のマイクロカプセルの使用。
【請求項１８】
化粧品、医薬品、洗濯用および洗浄用組成物における、請求項１３〜１６のいずれかに記載のマイクロカプセルの使用。